(57)【要約】【課題】洗濯物を取り入れる時、容易にかつ迅速にピンチより外す物干しハンガーを提供する。【解決手段】回動軸１を軸支した外軸２と係止軸３を横軸４の両端にそれぞれ固定して枠を形成し、適宜位置に突状部６を施した並行状紐体５を、連設する任意数のピンチ７の各摘み部８ａ，８ｂに並行状に挿通し、その一方の紐体５ｂの一端を外軸２に、他端を係止軸３に係止し、他方の紐体５ａの一端を回動軸１に複数例それぞれ係止する。【選択図】    図１
2004321723.tif 000002
【特許請求の範囲】
【請求項１】
回動軸１を軸支した外軸２と係止軸３を横軸４の両端に固定し、適宜位置に突状部６を施した並行状紐体５を、任意数のピンチ７の各摘み部８ａ，８ｂに挿通し、その一方の紐体５ｂの一端を外軸２に、他端を係止軸３に、他方の紐体５ａの一端を回動軸１に任意例係止することを特徴とする物干しハンガー。
【発明の詳細な説明】
【０００１】
【発明の属する技術分野】
本発明は、物干しハンガーに関する。
【０００２】
【従来の技術】
従来の物干しハンガーは、洗濯物を取り込む時、ピンチ一個一個から外して取り込んでいた。又、洗濯物を下方に引くとピンチより外れる物干しハンガーはあった。更には、複数のピンチ摘み部に並行状に挿通した突状部を施した紐状体を互いに逆行させることにより、ピンチ摘み部に突状部が引っかかり、ピンチを開く機構の物干しハンガーは特許申請中
【特願２００３−６２４７３】である。
【０００３】
【発明が解決しようとする課題】
ところが上記物干しハンガーは、洗濯物をピンチ一個一個から外して取り込む為、時間を要し、非常に面倒であった。又、洗濯物を下方に引いてピンチより外すハンガーは、洗濯物の材質により傷める可能性があった。尚、特許申請中の物干しハンガーは、構造が複雑であり、ピンチの数も制限される構造であった。
【０００４】
本発明は斯かる事情に鑑み、鋭意検討の結果、前記問題を解決することが出来る、物干しハンガーを提供することを目的とする。
【０００５】
【課題を解決する為の手段】
前記目的を達成する為、本発明は、回動軸を軸支した外軸と係止軸をそれぞれ横軸の両端に固定し、適宜位置に突状部を施した２本の紐体を、任意数のピンチ摘み部に並行状に挿通し、その一方の一端を外軸に、他端を係止軸に、他方の一端を回動軸に任意例係止することを特徴とする。
【０００６】
この特徴によれば、横軸の両端に固定した回動軸を軸支した外軸と係止軸に、複数の各ピンチの摘み部に挿通した２本の紐体の一方の両端をそれぞれ係止し、各ピンチを吊設している。他方の一端は回動軸に係止し、他端は開放している。紐体には、各ピンチの対向する摘み部の外面紐孔部対角位置にそれぞれ等間隔に突状部が施され、回動軸の回転により紐体の一方が巻かれスライドする。これにより突状部が移動し、摘み部に引っかかり各ピンチが一同に開く。回動軸の回転力を解除すると各ピンチの反発力で元の位置に自動的に戻る。
【０００７】
尚、本発明に於いて「ピンチ」とは、洗濯物を挟む洗濯バサミのことであり、「紐体」とは、ワイヤー、糸、紐、天蚕糸、線条のいずれも含み、材質は、金属性、ナイロン性、樹脂性、布性を問わず、異材質の接合も含む。
【０００８】
【発明の実施の形態】
本発明の実施の形態を、添付図面に例図した本発明の実施例に基づいて以下に説明する。
【０００９】
添付図面に於いて、図１は、本発明の物干しハンガーの一例を示す斜視図、図２は、回動軸を軸支した外軸の拡大断面図（図１のＡ−Ａ矢視図）、図３は、回動軸を軸支した外軸の一部破断正面図、図４は、紐体のピンチ挿通状態を示す拡大図（図１のＡ部拡大図）である。
【００１０】
先ず、図１〜３に於いて、横軸４の一端には外軸２を、他端には係止軸３を固定し、ハンガーの枠を形成している。外軸２には回動軸１が挿入され、更に長手方向に回動軸１に係止する紐体５の挿入口１１が開口されている。又、回動軸１の両端は外軸２のキャップ９により回動自在に軸支され、その一方には回動軸を回転させるレバー１０が取り付けられている。
【００１１】
上記外軸２と係止軸３には、複数のピンチ７の各摘み部８ａ，８ｂに挿通した並行状紐体５の一方の紐体５ｂの両端をそれぞれ係止し、各ピンチ７を吊設している。他方の紐体５ａの一端は回動軸１に係止し、回転させると紐体５ａが巻かれスライドし、突状部６が移動する。
【００１２】
上記並行状紐体５は、連設するピンチ７の摘み部８ａ，８ｂの対向する外面の紐孔部に対角に位置するようそれぞれ突状部６が施されている。
【００１３】
次に図４も併せて参照し説明すると、ピンチ７の摘み部８ａ，８ｂに挿通している並行状紐体５の突上部６がピンチ摘み部８ａ，８ｂの外面紐孔部に対角に位置し、回動軸の回転により紐体５ａがスライドし突状部６がピンチ摘み部８ｂに引っかかり、ピンチ摘み部８ｂが移動する。この時紐体５ｂの突状部６は、ピンチ摘み部８ａの移動を押える為ピンチ７は開く。つまり、回動軸１を回転させるとピンチ摘み部８ａ，８ｂは互いに内側に力が働き、各ピンチ７が一同に開く。又、回動軸１の回転力を解除すると、各ピンチ７の復元力が働き紐体５の一方５ａが逆行し、ピンチ７が一同に閉じる。
【００１４】
以上、本発明の実施例について説明したが、本発明はその実施例に限定されることなく、本発明の範囲内で種々の実施例が可能である。例えば、回動軸１を回転させるレバー１０は円筒型であっても良いし、外軸２は板状の両端を９０°に折り曲げ軸穴を穿設し、回動軸１を軸支しても良い。又、並行状紐体５の一方である５ｂの一端を係止軸３に係止し、他端を開放しても良い。この場合、干し物の重さにより紐体５ａ，５ｂは下方に垂れ、互いに引き合う方向に力が働く為、ピンチ７は開こうとするが、小物の軽い干し物であれば落下しない。
【００１５】
【発明の効果】
以上のように本発明によれば、回動軸を挿入し軸支した外軸と係止軸を横軸の両端にそれぞれ固定して枠を形成し、連設するピンチ摘み部に挿通している２本の並行状紐体の一方の一端を外軸に、他端を係止軸に係止し、他方の一端を回動軸に係止している。これにより回動軸を回転させると並行状紐体の一方が巻かれスライドする。並行状紐体にはそれぞれ等間隔に突状部が施されている。その突状部はピンチ摘み部の対向する外面の紐孔部に対角に位置している。この為、回動軸を回転させることにより一方の突状部が移動する為ピンチ摘み部は対向方向に力が働き、各ピンチが一同に開く。又、回転力を解除するとピンチの復元力により移動した突状部が逆行し、各ピンチが一同に閉じる。従って、洗濯物を取り入れる時ピンチ一個一個から外さなくても良く、回動軸を回転させると瞬時にピンチが開き洗濯物が外れ、時間もかからず面倒さもなく非常に便利である。
【図面の簡単な説明】
【図１】本発明の一実施例に係る斜視図
【図２】回動軸を挿入した外軸の拡大断面図（図１のＡ−Ａ矢視図）
【図３】回動軸を挿入した外軸の一部破断正面図
【図４】紐状体のピンチ挿通状態を示す拡大図（図１のＡ部拡大図）
【符号の説明】
１．．．．．回動軸
２．．．．．外軸
３．．．．．係止軸
４．．．．．横軸
５．．．．．並行状紐体
５ａ．．．．．紐体
５ｂ．．．．．紐体
６．．．．．突状部
７．．．．．ピンチ
８ａ．．．．．ピンチ摘み部
８ｂ．．．．．ピンチ摘み部
９．．．．．キャップ
１０．．．．．レバー
１１．．．．．挿入口
【図１】
2004321723.tif 000003
【図２】
2004321723.tif 000004
【図３】
2004321723.tif 000005
【図４】
2004321723.tif 000006